(57)【要約】【課題】画像データについて処理ごとに実行の許可・不許可をコントロールすることができる。【解決手段】画像データに基づいてスクリーン３上に画像を投影する投影部３０を備えたプロジェクタ１等の画像投影装置において、操作部２５等の認証情報入力部と、画像データについて互いに異なる複数の処理を実行する処理部と、画像データに関連付けられた複数の処理にそれぞれ対応する複数の確認用認識情報のうち、認証情報入力部で入力された入力認証情報に対応する処理についての確認用認証情報を用いて入力認証情報の認証処理を行い、その認証処理結果が成功のときには処理部に当該処理を実行させ、不成功のときには該処理の実行を禁止するよう制御するシステム制御部２４等の制御部とを有する。【選択図】図８
2016116020.tif 000002
【特許請求の範囲】
【請求項１】
画像データに基づいてスクリーン上に画像を投影する投影部を備えた画像投影装置において、
認証情報入力部と、
前記画像データについて互いに異なる複数の処理を実行する処理部と、
前記画像データに関連付けられた前記複数の処理にそれぞれ対応する複数の確認用認識情報のうち、前記認証情報入力部で入力された入力認証情報に対応する処理についての前記確認用認証情報を用いて前記入力認証情報の認証処理を行い、その認証処理結果が成功のときには前記処理部に当該処理を実行させ、不成功のときには該処理の実行を禁止するよう制御する制御部と
を有することを特徴とする画像投影装置。
【請求項２】
請求項１記載の画像投影装置において、
前記処理部は、前記画像データによる画像を自らの投影部によって投影する処理や、前記画像データをネットワーク接続されている外部機器に転送する処理を行うことを特徴とする画像投影装置。
【請求項３】
請求項１又は２に記載の画像投影装置において、
前記画像データは、自画像投影装置と外部機器の少なくとも一方の記憶部に格納されていることを特徴とする画像投影装置。
【請求項４】
請求項１〜３のいずれか１項に記載の画像投影装置において、
前記画像データ及び前記複数の認識情報を記憶する記憶部を備え、該記憶部には、画像データによる画像を投影可能な画像投影装置の一覧が記憶されていることを特徴とする画像投影装置。
【請求項５】
外部端末装置と、記憶部を有する画像投影装置とがネットワークを介して接続されている画像投影システムにおいて、
前記画像投影装置として、請求項１〜４のいずれかの画像投影装置を用いることを特徴とする画像投影システム。
【請求項６】
請求項５記載の画像投影システムにおいて、
前記外部端末装置は、入力部と、前記画像投影装置によってスクリーン上に投影させる画像データを記憶する記憶部と、表示部と、制御部とを備え、
前記制御部は、前記画像投影装置の記憶部へ所望の画像データを転送して保存させる要求があった場合、前記表示部の表示画面上に表示した画像データの一覧から前記所望の画像データを選択し、かつその画像データを転送する前記画像投影装置を選択したとき、前記所望の画像データに関連付けられた互いに異なる複数の処理に対応する認証情報の設定を要求し、その認証情報の設定要求に対して前記入力部によって認証情報が入力されたら、当該認証情報と当該認証情報に対応する前記所望の画像データとを関連付けて転送先の前記画像投影装置の記憶部へ転送するよう制御することを特徴とする画像投影システム。
【発明の詳細な説明】
【技術分野】
【０００１】
本発明は、画像投影装置及び画像投影システムに関するものである。
【背景技術】
【０００２】
従来、投影用の画像データを画像投影装置であるプロジェクタ内の記憶部に格納し、格納された画像データによる画像が第三者によって当該プロジェクタで投影されないように、パスワード認証によって保護する画像投影装置が知られている。
【０００３】
例えば、特許文献１に開示の画像投影装置では、当該画像投影装置にネットワークを介して接続されたパーソナルコンピュータなどの外部端末装置によって、投影対象の画像データによる画像を投影するためのパスワードが、その画像データに関連付けられる。確認用認証情報としての設定パスワードと画像データが外部端末装置からネットワークを介して画像投影装置に転送され、画像投影装置の記憶部に格納される。そして、その画像データが投影対象として選択された場合に、パスワードの入力を要求し、設定パスワードと入力認証情報としての入力パスワードとが符合する場合に画像データによる画像投影が可能となるとされている。
【発明の概要】
【発明が解決しようとする課題】
【０００４】
近年、携帯可能なプロジェクタが開発され、そのプロジェクタを出先に持ち運び、その出先に持ち込んだプロジェクタから画像データを投影しながらのテレビ会議が考えられている。このテレビ会議において、一のプロジェクタを利用する利用者が、一のプロジェクタ内に格納された画像データを、ネットワークを介して外部機器としての別のプロジェクタに転送し、転送された画像データによる画像を当該別のプロジェクタから投影させたいという要望が想定される。さらに、この場合に利用者によってその利用者が利用するプロジェクタからの画像の投影を制限したいという要望が想定される。
【課題を解決するための手段】
【０００５】
上述した課題を解決するために、請求項１の発明は、画像データに基づいてスクリーン上に画像を投影する投影部を備えた画像投影装置において、認証情報入力部と、前記画像データについて互いに異なる複数の処理を実行する処理部と、前記画像データに関連付けられた前記複数の処理にそれぞれ対応する複数の確認用認識情報のうち、前記認証情報入力部で入力された入力認証情報に対応する処理についての前記確認用認証情報を用いて前記入力認証情報の認証処理を行い、その認証処理結果が成功のときには前記処理部に当該処理を実行させ、不成功のときには該処理の実行を禁止するよう制御する制御部とを有することを特徴とするものである。
【発明の効果】
【０００６】
本発明によれば、画像データについて処理ごとに実行の許可・不許可をコントロールすることができるという特有の効果が得られる。
【図面の簡単な説明】
【０００７】
【図１】画像投影システムを説明する概略図。
【図２】プロジェクタの構成を説明するブロック図。
【図３】プロジェクタに画像データを転送するときの外部端末装置でのパスワード設定処理を説明するフローチャート。
【図４】転送先のプロジェクタの選択処理における表示部上の表示例。
【図５】ファイル保存先の選択処理における表示部上の表示例。
【図６】パスワード設定処理における表示部上の表示例。
【図７】（ａ）はパスワード入力時における表示部上の表示例、（ｂ）は画像データ転送先のプロジェクタの選択処理における表示部上の表示例。
【図８】本実施形態に係るプロジェクタから別のプロジェクタに画像データを転送する一連の処理を説明するフローチャート。
【図９】処理メニューの投影表示例。
【図１０】格納されているファイルの選択処理における投影表示例。
【図１１】パスワード設定処理における投影表示例。
【図１２】画像データ転送先のプロジェクタの選択処理における投影表示例。
【図１３】テレビ会議において各地点のプロジェクタによる画像投影の様子を示す図。
【図１４】パスワード認証失敗時における投影表示例。
【発明を実施するための形態】
【０００８】
以下、本発明の画像投影装置としてのプロジェクタと外部端末装置をネットワークで接続した画像投影システムについて説明する。
図１は、同画像投影システムを説明する概略図である。図１に示すように、画像投影装置としてのプロジェクタ１は、外部端末装置４から、有線や無線のネットワークを経由して、投影用の画像データを受信し、その画像データをプロジェクタ内の記憶部に格納する。そして、プロジェクタ１は、リモコン２により、記憶部に格納された画像をスクリーン３上に投影する。スクリーン３は、プロジェクタ１により投影された光を反射できればどのような部材であってもよい。
【０００９】
外部端末装置４は、アプリケーションプログラムを実行する制御部４ａ、アプリケーションプログラム及び画像データを格納する記憶部４ｂ、プロジェクタ１等の外部機器にネットワークを経由して画像データ等の各種データを転送する転送部４ｃ、ユーザインターフェースを表示する液晶ディスプレイなどの表示部４ｄ、ユーザからの入力を受け付けるキーボードやマウスなどの入力部４ｅを備えている。外部端末装置４は、例えば、ノート型のコンピュータ、タブレット端末、スマートフォン等の情報処理を実行するコンピュータであってよい。
【００１０】
次に、プロジェクタ１の構成について説明する。
図２は、プロジェクタ１の構成を説明するブロック図である。
図２に示すように、プロジェクタ１は、無線通信部２１、有線通信部２２、外部接続部２３、システム制御部２４、操作部２５、リモコン受信部２６、記憶部２７、ファン制御部２８、ファン２９、投影部３０を備えている。
【００１１】
無線通信部２１は、無線ＬＡＮ（Local Area Network）のインターフェース及びその通信部を含み、無線ＬＡＮを経由して別のプロジェクタや外部端末装置等の外部機器と接続する。有線通信部２２は、有線ＬＡＮのインターフェース及びその通信部を含み、有線ＬＡＮで別のプロジェクタや外部端末装置等の外部機器と接続する。外部接続部２３は、外部からの映像（画像）信号、例えばコンピュータからの画像出力信号、映像機器等からのＨＤＭＩ（High-Definition Multimedia Interface、登録商標）信号、ビデオ信号等を入力するためのインターフェースである。
【００１２】
システム制御部２４は、例えばＣＰＵ（Central Processing Unit）とその周辺回路等を含み、記憶部２７等に記憶されたプログラムを実行することにより、プロジェクタ１全体の制御を行う。操作部２５は、各種情報を表示すると共に、プロジェクタ１の設定や操作等を行う表示入力手段である。リモコン受信部２６は、図１のリモコン２からの信号を受信し、遠隔操作を受け付ける。記憶部２７は、例えば、ＲＡＭ（Random Access Memory）、フラッシュＲＯＭ（Read Only Memory）、及び／又はストレージ等を含み、プロジェクタ１の各種プログラムや、投影する画像データ、及び各種設定データ等を記憶する。ファン制御部２８は、光源３５や装置内の温度が所定の温度となるようにファン２９を制御する。
【００１３】
投影部３０は、ＤＭＤ（Digital Mirror Device）制御部３１、ＣＷ（Color Wheel）制御部３２、回転検出部３３、光源制御部３４、光源３５、カラーホイール３６、ＤＭＤ３７、投影レンズ３８を備えている。光源３５は、ランプや、ＬＥＤ（Light Emitting Diode）又は半導体レーザー等の固体光源等の画像投影用の光源である。光源制御部３４は、光源３５の明るさや、点灯／消灯の制御等を行う。カラーホイール３６は、例えば、赤、青、緑の３色に色分けされた円板等を高速で回転させ、光源３５からの光を透過させることにより色づけを行う。回転検出部３３は、カラーホイール３６の回転状態を検出する。
【００１４】
ＣＷ制御部３２は、カラーホイール３６の回転を制御する。ＤＭＤ３７は、多数の微小鏡面（マイクロミラー）を平面に配置した表示素子である。ＤＭＤ制御部３１は、ＤＭＤ３７のマイクロミラーをオン／オフ制御する。ＤＭＤ３７及びカラーホイール３６は、画像投影用の表示素子の一例であり、例えば、ＬＣＤ（Liquid Crystal Display）等の他の表示素子であってもよい。光源３５から出た光は、カラーホイール３６で色づけされ、投影対象の画像によって画素毎に、その向きが制御されるＤＭＤ３７で反射し、投影レンズ３８を通して図１のスクリーン３等の投影面に照射されて像を結ぶ。
【００１５】
図３は、プロジェクタに画像データを転送するときの外部端末装置でのパスワード設定処理を説明するフローチャートである。図４〜図７は、図２の外部端末装置４の表示部４ｄ上に表示された各処理における表示例である。図２の外部端末装置４は、プロジェクタ１とネットワーク接続している。
【００１６】
先ず、図１の外部端末装置４の制御部４ａは、プロジェクタ１へのファイル保存要求の発生を待機する（ステップＳ１０１）。このとき、例えば、図４に示すように、制御部４ａは、外部端末装置４の記憶部４ｂ上に格納されている各ファイルに対応するファイルアイコン（ＦＬ）が表示部４ｄのウインドウ（ＦＷ）に表示させ、さらに転送先であるプロジェクタ１（ＰＪ１）を示すアイコンＰＪが表示されている。なお、外部端末装置４の記憶部４ｂ上のファイルをプロジェクタ１（ＰＪ１）に移動（転送）する場合には、所望のファイルアイコン（ＦＬ）上にマウスポインタ（ＭＰ）を置き、ドラッグ・アンド・ドロップすることにより実行できる。画像データを保存するプロジェクタ１の記憶部のどこに保存するかを設定する（ステップＳ１０２）。例えば、図５のような画面（「ファイル保存先を選択してください」のガイドメッセージ）を外部端末装置４の表示部４ｄに表示して、ファイル保存先であるプロジェクタ（ＰＪ１）のフォルダを選択させる。
【００１７】
続いて、制御部４ａは、保存する画像データファイルにパスワードを設定するか否かを判断する（ステップＳ１０３）。パスワード設定を行うときは図６のような画面（「パスワードを設定してください」のガイドメッセージ）を外部端末装置４の表示部４ｄに表示し、２つのパスワード設定を要求する（ステップＳ１０３：ＹＥＳ、ステップＳ１０４）。一つは、画像データを格納するプロジェクタでしか投影できないパスワード（ＰＷ１）であり、もう一つは、画像データを保存しているプロジェクタ１以外の特定のプロジェクタに、プロジェクタ１から転送して特定のプロジェクタから投影できるパスワード（ＰＷ２）である。例えば、図７（ａ）、（ｂ）のように、画像転送するプロジェクタ（ＰＪ）を設定する「転送設定」を画面に表示し、その画面から特定のプロジェクタを設定要求してもよい。
【００１８】
そして、画像データとパスワード、そのパスワードの付加情報（転送可能なＰＪ情報）を関連付ける（ステップＳ１０５）。パスワードと画像データ、そのパスワードの付加情報を合わせて、あるいはパスワード設定していない画像データを図１の外部端末装置４の転送部４ｃから、図２のプロジェクタ１の無線通信部２１又は有線通信部２２を介して、選択された記憶部２７のフォルダに格納される（ステップＳ１０６）。パスワード（ＰＷ２）の付加情報は、プロジェクタ１以外の特定のプロジェクタに転送可能な情報である。
【００１９】
次に、外部端末装置からプロジェクタ（ＰＪ１）に転送された画像データを特定の別のプロジェクタに転送するときの処理について説明する。
図８は本実施形態に係るプロジェクタから別のプロジェクタに画像データを転送する一連の処理を説明するフローチャートである。図９〜図１４は、スクリーン３上に投影された各処理における投影表示例である。プロジェクタ１は、複数のプロジェクタとネットワーク接続している。
【００２０】
先ず、図２のプロジェクタ１のシステム制御部２４は、プロジェクタ１に格納されているファイル投影要求の発生を待機する。例えば、図９のようなメニュー画面を、プロジェクタ１、又は、プロジェクタ１にネットワーク接続されている特定の別のプロジェクタからスクリーン３上に投影し、図２のプロジェクタ１の記憶部２７上に格納されているファイル選択を要求する（ステップＳ２０１）。例えば、図１０のような画面により、プロジェクタ１の記憶部２７上に格納されている画像データファイルを、リモコン２、または、操作部２５を操作することによって、選択する（ステップＳ２０２）。
【００２１】
続いて、格納された画像データファイルが選択されたか否かを判断する（ステップＳ２０３）。画像データファイルが選択されると、その画像データに対してパスワードが設定されているか否かを判断する（ステップＳ２０４）。パスワードが設定されていれば、図１１のようにパスワード入力を促す画面（「パスワードを入力してください」のガイドメッセージ）をスクリーン３上に投影し、パスワード入力を要求する（ステップＳ２０４：ＹＥＳ、ステップＳ２０５）。そして、入力されたパスワードが、図３のステップＳ１０４で外部端末装置４の記憶部４ｂに保存された画像データを格納したプロジェクタのみ投影可能なパスワード（ＰＷ１）であるかどうかを確認する（ステップＳ２０６）。
【００２２】
入力されたパスワードがＰＷ１と一致していると判断されれば、画像データが格納されているプロジェクタ１より、画像を投影する（ステップＳ２０６；ＹＥＳ、ステップＳ２０７）。なお、認証処理結果の成功については完全一致又は部分一致でもよい。入力されたパスワードが、図３のステップＳ１０４で設定された他機器への画像転送（投影）が可能なパスワード（ＰＷ２）と一致しているか確認する（ステップＳ２０６；ＮＯ、ステップＳ２０８）。入力されたパスワードがＰＷ２と一致していると判断されれば、図１２のように画像データを転送するプロジェクタを選択する画面（「投影するＰＪを選択してください」のガイドメッセージ）を投影する（ステップＳ２０８：ＹＥＳ）。選択可能なプロジェクタは、ＰＷ２に付加されている転送可能ＰＪの中で、現在、プロジェクタ（ＰＪ１）とネットワーク接続可能なプロジェクタのみとしてもよい。
【００２３】
プロジェクタ（ＰＪ１）に格納している画像データを、ステップＳ２０８で選択された特定のプロジェクタ（ＰＪ３）に転送して、プロジェクタ（ＰＪ３）から投影を開始する（ステップＳ２０９、Ｓ２１０、Ｓ２１１）。例えば、テレビ会議において、Ａ地点の会議では一の画像データやＢ地点の会議の様子をＢ地点の会議室に設置のカメラで撮影した画像を、プロジェクタ（ＰＪ１）からスクリーン３上に投影する。一方、Ｂ地点の会議ではプロジェクタ（ＰＪ１）からネットワークを介して転送された一の画像データやＡ地点の会議の様子をＡ地点の会議室に設置のカメラで撮影した画像を、プロジェクタ（ＰＪ３）からスクリーン３上に投影する。入力されたパスワードが、図３のステップＳ１０４で設定された特定のプロジェクタ（ＰＪ３）への画像転送（投影）が可能なパスワード（ＰＷ２）と一致しない場合、図１４のような認証失敗（投影不許可）画面（「認証に失敗しました  ファイルの再生はできません」のメッセージ）を投影する（ステップＳ２０８：ＮＯ、ステップＳ２１２）。なお、投影対象の画像データは、自画像投影装置と別の画像投影装置の少なくとも一方のデータ記憶部に格納されていればよい。
【００２４】
以上に説明したものは一例であり、本発明は、次の態様毎に特有の効果を奏する。
（態様Ａ）
画像データに基づいてスクリーン３上に画像を投影する投影部３０を備えたプロジェクタ１等の画像投影装置において、操作部２５等の認証情報入力部と、画像データについて互いに異なる複数の処理を実行する処理部と、画像データに関連付けられた複数の処理にそれぞれ対応する複数の確認用認識情報のうち、認証情報入力部で入力された入力認証情報に対応する処理についての確認用認証情報を用いて入力認証情報の認証処理を行い、その認証処理結果が成功のときには処理部に当該処理を実行させ、不成功のときには該処理の実行を禁止するよう制御するシステム制御部２４等の制御部とを有する。
本態様によれば、画像データについて互いに異なる複数の処理のうち指定の処理を実行するとき、画像データに関連付けられた当該実行処理についての確認用認証情報を用いて入力認証情報の認証処理を行う。そして、その認証処理が成功した時のみ、認証情報に対応した処理を実行することができる。これにより、画像データについて処理ごとに実行の許可・不許可をコントロールすることができる。
【００２５】
（態様Ｂ）
（態様Ａ）において、処理部は、画像データによる画像を自らの投影部によって投影する処理や、画像データをネットワーク接続されている外部機器に転送する処理を行う。これによれば、上記実施形態について説明したように、画像データを管理する管理者が、特定の利用者が利用する画像投影装置からのみに画像データによる画像を投影させたい場合や、当該画像データを別の画像投影装置のみ転送して投影させたい場合に、それらの場合に対応した制限設定が可能となる。
【００２６】
（態様Ｃ）
（態様Ａ）又は（態様Ｂ）において、画像データは、自画像投影装置と外部機器の少なくとも一方の記憶部に格納されている。これによれば、上記実施形態について説明したように、ネットワークを介して画像データが自画像投影装置の記憶部に一旦記憶されると、ネットワーク接続されていなくても自画像投影装置の記憶部に記憶されている画像データによる画像を投影できる。もしくは、外部機器とネットワーク接続されていれば、自画像投影装置の記憶部に画像データを記憶していなくても外部機器の記憶部にアクセスして、その記憶部に記憶されている画像データによる画像を投影することができる。
【００２７】
（態様Ｄ）
（態様Ａ）〜（態様Ｃ）において、画像データ及び複数の認識情報を記憶する記憶部を備え、その記憶部には、画像データによる画像を投影可能な画像投影装置の一覧が記憶されている。これによれば、上記実施形態について説明したように、画像データの管理者が画像データによる画像の投影を許可する画像投影装置の設定が可能となる。また、管理者は、投影可能な画像投影装置を特定することができるので、画像データの転送先を把握することができる。
【００２８】
（態様Ｅ）
外部端末装置と、記憶部を有する画像投影装置とがネットワークを介して接続されている画像投影システムにおいて、画像投影装置として、（態様Ａ）〜（態様Ｄ）のいずれかの画像投影装置を用いる。これによれば、上記実施形態について説明したように、特定の画像投影装置について投影対象の画像データが選択された場合には、認証情報の入力を要求し、特定の画像投影装置でのみ投影させる処理に対応した認証情報と入力の認証情報とが符合しないときは画像データによる画像を投影することができないようにする。したがって、画像投影システムにおける画像データの秘匿性を確保することができる。
【００２９】
（態様Ｆ）
（態様Ｅ）において、外部端末装置４は、入力部４ｅと、画像投影装置によってスクリーン３上に投影させる画像データを記憶する記憶部４ｂと、表示部４ｄと、制御部４ａとを備え、制御部は、画像投影装置の記憶部へ所望の画像データを転送して保存させる要求があった場合、表示部の表示画面上に表示した画像データの一覧から所望の画像データを選択し、かつその画像データを転送する画像投影装置を選択したとき、所望の画像データに関連付けられた互いに異なる複数の処理に対応する認証情報の設定を要求し、その認証情報の設定要求に対して入力部によって認証情報が入力されたら、当該認証情報と当該認証情報に対応する所望の画像データとを転送先の前記画像投影装置の記憶部へ転送するよう制御する。これによれば、上記実施形態について説明したように、所望の画像データを転送先の画像投影装置に転送する処理に対応する認証情報の設定を要求することで、入力された認証情報と関連付けられた認証情報とが符合した場合に転送先の画像投影装置に認証情報についての処理を実行させられる。よって、入力された認証情報と関連付けられた認証情報とが符合しない限りその処理を実行させないように制限することができる。
【符号の説明】
【００３０】
１  プロジェクタ
２  リモコン
３  スクリーン
４  外部端末装置
４ａ  制御部
４ｂ  記憶部
４ｃ  転送部
４ｄ  表示部
４ｅ  入力部
２１  無線通信部
２２  有線通信部
２３  外部接続部
２４  システム制御部
２５  操作部
２６  リモコン受信部
２７  記憶部
２８  ファン制御部
２９  ファン
３０  投影部
３１  ＤＭＤ制御部
３２  ＣＷ制御部
３３  回転検出部
３４  光源制御部
３５  光源
３６  カラーホイール
３７  ＤＭＤ
３８  投影レンズ
【先行技術文献】
【特許文献】
【００３１】
【特許文献１】特許第４９８３９８８号公報
【図１】
2016116020.tif 000003
【図２】
2016116020.tif 000004
【図３】
2016116020.tif 000005
【図４】
2016116020.tif 000006
【図５】
2016116020.tif 000007
【図６】
2016116020.tif 000008
【図７】
2016116020.tif 000009
【図８】
2016116020.tif 000010
【図９】
2016116020.tif 000011
【図１０】
2016116020.tif 000012
【図１１】
2016116020.tif 000013
【図１２】
2016116020.tif 000014
【図１３】
2016116020.tif 000015
【図１４】
2016116020.tif 000016